(57)【要約】　　　（修正有）【課題】体に負担のかからない風呂場のタイル及び浴槽の自動洗いブラシを提供する。【解決手段】水道水の水流を回転用のブレードに当て、ブレードを回転させ、ブレードの先に付いているブラシを回転させる。この回転するブラシで清掃面を擦る。“洗い”モードではこの水流（ブレードを回転させるために使用する水流）に洗剤を混入し、清掃面に吹きつけ、この洗剤水の供給とブラシによるブラッシングにより清掃面を洗浄する。“仕上げ”モードではこの水流に洗剤水を混入せず、水だけを清掃面に吹きつけブラッシングする。人が持つグリップと清掃面に当てるブラシの間の距離は人間工学的に妥当なように設定し、人が楽な姿勢で清掃できるようにする。ブラシを回転させる動力として電動モータを使用する場合、水道水及び、洗剤液の供給ラインを設け、水道水の水流、洗剤水の水流、ブラッシングにより洗浄する。【選択図】図１
2004016782.tif 000002
【特許請求の範囲】
【請求項１】
人力以外の動力でブラシを回転させ、風呂場のタイルや風呂桶など（以下風呂場と略称する）を洗浄する装置。その動力として、水道水の水圧又は電動モータを使用する。水道水の水圧を使う場合、水流の中にその水流を受けて回転するブレードを置き、水流のエネルギーを回転エネルギーに変換し動力として利用する。ブレードを回転させた水は最終的に風呂場の洗浄に使用する。このブレードの先にはブラシが付いており、ブレードの回転はブラシに伝えられ、ブラシが回転する。この回転するブラシを風呂場の洗浄面に接触させ、洗浄面を擦り、先端から出る洗剤を溶かした水（以下洗剤水と略称する）又は水の働きを借りて、洗浄面を洗浄する。
電動モータを動力として使用する場合、洗浄用のブラシを電動モータで回転させる。又水道水及び洗剤水のラインも設け、水道水の水流、洗剤水の水流、ブラシによるブラッシングにより洗浄面を洗浄する。
【発明の詳細な説明】
［発明の属する技術分野］
【００１】
生活用品関連　風呂場の洗浄技術
【００２】
［従来の技術］
従来風呂場のタイルや風呂桶（浴槽）を清掃する場合、屈んだり立ち上がったりしながら、たわしやスポンジ、清掃用ブラシなどを使って、これに洗剤を付けながら人力で清掃面を擦り、最後にホースで水を流して仕上げを行っていた。
【００３】
［発明が解決しようとする課題］
風呂場のタイル及び風呂桶の清掃の課題は下記の通り。
（１）　人力で清掃面を擦るため、清掃する人に掛かる肉体的な負担が大きい。
（２）　直接清掃面を擦る作業のため、体を清掃面に近づける必要があり、屈んだり立ち上がったり姿勢をかえる必要があり体に負担がかかる。又屈んだ姿勢での作業は肉体的に負担が大きい。
（３）　「たわしやブラシに石鹸水をつける→清掃面を擦る→仕上げに水を流す」作業を個々に行う必要がある。
【００４】
［課題を解決するための手段］
（１）水道水の水流を動力として使用する。
水道水の水流を回転用のブレードに当て、ブレードを回転させ、ブレードの先に付いているブラシを回転させる。この回転するブラシで清掃面を擦る。“洗い”モードではこの水流（ブレードを回転させるために使用する水流）に洗剤液を混入し、清掃面に吹きつけ、この洗剤液の供給とブラシによるブラッシングにより清掃面を洗浄する。“仕上げ”モードではこの水流には洗剤液を混入せず、水だけを清掃面に吹き付け、ブラッシングする。人が握るグリップと清掃面に当てるフラシの間の距離は人間工学的に妥当なように設定し、人が楽な姿勢で清掃できるようにする。
（２）電動モータを動力として使用する。
ブラシを回転させる動力として電動モータを使用する。　その他水道水の供給、洗剤液の混入法等は“（１）水道水の水流を動力として使用する”場合と同じである。
【００５】
［発明実施の形態］
［実施例］
（１）水道水の水流を動力とする例（図１により説明する）
図の、向かって左側から水道水の供給を受ける。　水を流す管（符号５）に入った水道水は水流切り替えコック（符号１３）を操作することにより水流制御部（符号１４）の機能によりＯＦＦ，洗剤、低圧、高圧のようにいくつかの水圧（従って水量）が制御される。（図３）”ＯＦＦ”を選択した場合水は流れない。“洗剤”を選択した場合、水量は比較的少なく、洗剤を使った洗浄に適した水量に設定してある。“低圧”を選択した場合、“洗剤”の状態よりは水量が多いが比較的少ない水量としてある。　“高圧”を選択した場合は水量が多い状態にしてある。水流制御部（符号１４）で制御された水は水を流す管（符号５）を通り、回転用ブレード（図２）に当たり、同ブレードを回転軸の周りに回転する。同ブレードの先に付いているブラシ（符号１）はブレードと一体のため、ブレードが回転すればブラシも回転する。この回転するブラシで清掃面を擦る。水量によってブラシの回転速度は制御される。洗浄は“洗い”及び“流し”モードの２つのモードがある。
“洗い”モードではまづ水流切り替えコックで“ＯＦＦ”を選択し、水流を止め、押しボタン（符号６）を数回押し、タンク（符号９）内の水に溶かした洗剤（符号２８）を水を流す管（符号５）の中に押し出す。このポンプの原理は押しボタン（符号６）を押すと、弁（符号８）と壁の隙間がなくなり、弁（符号８）が下に下がることによりタンク（符号９）内の空気が圧縮され、タンク内の空気圧があがる。タンク内の空気圧が上がると水に溶かした洗剤（符号２８）は管（符号１０）を通って水を流す管（符号５）の中に押し出される。押しボタン（符号２０）にかける力をゼロにするとスプリング（符号２５）により、押しボタンも弁（符号８）も元の位置に戻る。元の位置に戻る時、弁（符号８）と壁面の間には隙間ができて、タンク内の圧力は外気圧と同じになる。水を流す管（符号５）の中には弁（符号１２）があり、水を流す管（符号５）の中に押し出された水に溶かした洗剤の逆流を防止する。次に水流切り替えコック（符号１３）で”洗剤“を選択する。”洗剤“を選択すると水を流す管内を水が流れ始め、洗剤を含んだ水が管の右端から噴出し、ブレード（符号２）を回転させる。ブレードの先に付いたブラシの回転と噴出した洗剤を含んだ水により洗浄面を洗浄する。“流し”モードでは、洗剤の投入なしに、水流切り替えコック（符号１３）で“低圧”又は“高圧”を選択して水流を制御して、水のみを流しながら、この水流とブラシの回転により洗浄面の洗剤を落とす。
（２）電動モータを動力とする例（図５で説明する）
清掃用のブラシの回転に使う動力を電動モータにする以外は水道水の水流を動力とする例と同じである。
電動モータは回転数を制御できるタイプのものを使用する。電源として家庭用の１００Ｖ電源を使用する。電源のＯＮ　ＯＦＦ及びモータの回転数制御を“電源のＯＮ　ＯＦＦ及び電動モータ回転数制御つまみ”（符号２６）（図９）で行う。”ＯＦＦ”の選択で、モータは停止し、“弱”、“中”、“強”の選択で回転数は段々高くなる。洗い及び流しに使用する水道水のライン、水流切り替えコック（符号２４）、水に溶かした洗剤（符号２８）を投入するためのタンク（符号１９）、ポンプ機能等は（１）の例と同じである。
【００６】
［発明の効果］
（１）動力を使うため、清掃する人の肉体的負担を軽減する。
（２）楽な姿勢で作業ができるので、腰にかかる負担を軽減する。
（３）洗いから流しまでワンスッテプでできる。
【００７】
【図面の簡単な説明】
【図１】水道水の水流を動力とした例の　側面図（断面図）
【図２】同上　平面図
【図３】同上　水流切り替えコックの図
【図４】同上　水を流す管の中にある逆流防止弁
【図５】電動モータを動力とする例の側面図（断面図）
【図６】同上　平面図
【図７】同上　水流切り替えコックの図
【図８】同上　水を流す管の中にある逆流防止弁
【図９】同上　電源のＯＮ　ＯＦＦ及び電動モータの回転数制御つまみ
【符号の説明】
１　ブラシ
２　ブレード
３　軸受け
４　軸受けを支える支柱
５　水を流す管
６　押しボタン
７　スプリング
８　弁
９　タンク
１０　管
１１　グリップ
１２　弁
１３　水流切り替えコック
１４　水流制御部
１５　ブラシ
１６　回転軸
１７　水を流す管
１８　管
１９　タンク
２０　押しボタン
２１　グリップ
２２　弁
２３　電動モータ
２４　水流切り替えコック
２５　スプリング
２６　電源のＯＮ　ＯＦＦ及び電動モータの回転数制御つまみ
２７　電源用電線
２８　洗剤を溶かした水
２９　弁
【図１】
2004016782.tif 000003
【図２】
2004016782.tif 000004
【図３】
2004016782.tif 000005
【図４】
2004016782.tif 000006
【図５】
2004016782.tif 000007
【図６】
2004016782.tif 000008
【図７】
2004016782.tif 000009
【図８】
2004016782.tif 000010
【図９】
2004016782.tif 000011